(57)【要約】【課題】光ディスクにマークを記録するための記録パワー制御のための演算処理負荷の少ない光ディスク装置を提供する。【解決手段】光ディスク装置は、光ディスクの記録パワーのキャリブレーション領域に、レーザ発光手段の記録パワーを所定の範囲で変更させながら、長さの異なる複数のマークを記録する所定マーク記録手段と、所定マーク記録手段によって記録された、長さの異なる複数のマークのアシンメトリを、記録パワー毎に計測し、基準アシンメトリとして記憶するアシンメトリ記憶手段を有する。光ディスクの第１のゾーンにおいては、基準アシンメトリの中で最も小さいアシンメトリに対応する記録パワーでマークの記録を行うように前記レーザ発光手段の記録パワーが制御される。第２のゾーンにおいては、第１のゾーンにおいて記録された複数のマークのアシンメトリと基準アシンメトリとに基づいて、レーザ発光手段の記録パワーが制御される。【選択図】図５
2005190519.tif 000002
【特許請求の範囲】
【請求項１】
光ディスクを回転駆動するディスク駆動手段と、
前記ディスク駆動手段により回転駆動される前記光ディスクの記録面に対してレーザ光を照射してマークの記録を行うレーザ発光手段と、
前記光ディスクの記録パワーのキャリブレーション領域に、前記レーザ発光手段の前記記録パワーを所定の範囲で変更させながら、長さの異なる複数のマークを記録する所定マーク記録手段と、
前記所定マーク記録手段によって記録された、長さの異なる複数のマークのアシンメトリを、記録パワー毎に計測するアシンメトリ計測手段と、
前記アシンメトリ計測手段により計測して得られた、前記記録パワー毎のアシンメトリを、基準アシンメトリとして記憶するアシンメトリ記憶手段と、
前記光ディスクの第１のゾーンにおいては、前記基準アシンメトリの中で最も小さいアシンメトリに対応する記録パワーでマークの記録を行うように前記レーザ発光手段の記録パワーを制御する第１の記録パワー制御手段と、
前記第１のゾーンにおけるマークの記録の終了後、前記光ディスクの第２のゾーンにおいては、前記第１のゾーンにおいて記録された複数のマークのアシンメトリと前記基準アシンメトリとに基づいて、前記第２のゾーンに記録されるマークのアシンメトリが最も小さくなるように、前記レーザ発光手段の記録パワーを制御する第２の記録パワー制御手段と、
を有することを特徴とする光ディスク装置。
【請求項２】
前記第２の記録パワー制御手段は、さらに、前記第２のゾーン以降の第ｉ（ｉは３以上の整数）のゾーンにおけるマークの記録を行うための前記記録パワーを、第（ｉ−１）のゾーンにおいて記録されたマークのアシンメトリと、前記基準アシンメトリとに基づいて、前記第ｉのゾーンに記録されるマークのアシンメトリが最も小さくなるように制御することを特徴とする請求項１に記載の光ディスク装置。
【請求項３】
前記第２の記録パワー制御手段は、前記基準アシンメトリにおける単位アシンメトリ当たりの前記記録パワーの変化量に基づいて、アシンメトリを０にするように、前記記録パワーを制御することを特徴とする請求項１又は請求項２に記載の光ディスク装置。
【発明の詳細な説明】
【技術分野】
【０００１】
本発明は、光ディスク装置に関し、特に、マークを記録するための記録パワー制御に特徴のある光ディスク装置に関する。
【背景技術】
【０００２】
近年、DVD-R等の光ディスクにデータを記録し、その記録したデータを再生する光ディスク装置が広く普及している。
【０００３】
DVD-R等の光ディスクでは、光ディスク上に記録されるマークの長さ及びマーク間のスペースによって、記録されるデータの内容が決定されるため、光ディスク上に適切なマークが記録されるようにしなければならない。
【０００４】
ところが、光ディスクの自重によるたわみによってレーザ光が記録面に対して垂直に当たらないことによる記録パワー不足、マークを記録するためのレーザダイオードの温度特性によるパワー変動又は波長変動、光ディスクの記録面の感度ばらつき、等の原因によって、光ディスク装置において、記録されるマークの長さ等が適切に形成されない場合がある。マークが適切に記録されないことによる記録品位の低下は、データの再生不良あるいは再生不能に繋がる。
【０００５】
そのために、光ディスクの全面に渡って均一な記録をするための情報処理装置が提案されている（例えば、特許文献１参照）。その提案に係る情報処理装置は、分割された記憶領域への記録が終了した終端部の記録部分を再生し、再生して得られた信号特性から理想的な信号特性が得られる記録パワーの補正を施した近似式を算出して、その近似式によって算出された記録パワーを用いて次の分割された記憶領域へのデータの記録を行うように構成されている。
【特許文献１】特開２００２−２０８１３９号公報
【発明の開示】
【発明が解決しようとする課題】
【０００６】
しかし、上述した提案に係る情報処理装置の場合、その理想的な信号特性を得るための近似式を算出し、かつ記録パワーをその近似式によって算出して得るため、その近似式による算出のための演算処理負荷が大きくなるという問題があった。
【０００７】
本発明は、以上のような課題に鑑みてなされたものであり、光ディスクにマークを記録するための記録パワー制御のための演算処理負荷の少ない光ディスク装置を提供することを目的とする。
【課題を解決するための手段】
【０００８】
本発明に係る光ディスク装置は、光ディスクを回転駆動するディスク駆動手段と、前記ディスク駆動手段により回転駆動される前記光ディスクの記録面に対してレーザ光を照射してマークの記録を行うレーザ発光手段と、前記光ディスクの記録パワーのキャリブレーション領域に、前記レーザ発光手段の前記記録パワーを所定の範囲で変更させながら、長さの異なる複数のマークを記録する所定マーク記録手段と、前記所定マーク記録手段によって記録された、長さの異なる複数のマークのアシンメトリを、記録パワー毎に計測するアシンメトリ計測手段と、前記アシンメトリ計測手段により計測して得られた、前記記録パワー毎のアシンメトリを、基準アシンメトリとして記憶するアシンメトリ記憶手段と、前記光ディスクの第１のゾーンにおいては、前記基準アシンメトリの中で最も小さいアシンメトリに対応する記録パワーでマークの記録を行うように前記レーザ発光手段の記録パワーを制御する第１の記録パワー制御手段と、前記第１のゾーンにおけるマークの記録の終了後、前記光ディスクの第２のゾーンにおいては、前記第１のゾーンにおいて記録された複数のマークのアシンメトリと前記基準アシンメトリとに基づいて、前記第２のゾーンに記録されるマークのアシンメトリが最も小さくなるように、前記レーザ発光手段の記録パワーを制御する第２の記録パワー制御手段とを有する。
【発明の効果】
【０００９】
本発明によれば、光ディスクにマークを記録するための記録パワー制御のための演算処理負荷の少ない光ディスク装置を実現することができる。
【発明を実施するための最良の形態】
【００１０】
以下、本発明の実施の形態を図面を用いて説明する。  
図１は、本発明の実施の形態に係る光ディスク装置の構成を示す構成図である。図１に示すように、光ディスク装置１は、DVD-R（Digital Versatile又は Digital Disk−Recordable）の光ディスク２を回転駆動するディスク駆動部３と、光ディスク２に対してレーザ光（レーザビーム）を照射して信号を書き込み、あるいはイレースし、また、光ディスク２に対して照射したレーザ光の反射光を受光して信号を読み取る光ピックアップ４と、光ピックアップ４内のレーザ光源を駆動してレーザ光を発光させるレーザ駆動回路（以下、LD駆動回路という）５と、制御手段としてのコントローラ６とを有している。
【００１１】
光ピックアップ４は、レーザ光源としてのレーザダイオード素子７（以下、LD７という）と、コリメートレンズ８と、プリズム９と、第１の集光レンズ１０と、第２の集光レンズ１１と、受光素子１２（以下、PD１２という）を含む。
【００１２】
光ピックアップ４内のLD７から照射された光ビームは、光ディスク２の記録面により反射され、反射された反射光は、プリズム９で分光され集光レンズ１１によってPD１２に集光されて記録情報であるRF信号が検出される。PD１２によって検出されたRF信号は、コントローラ６へ出力される。
【００１３】
コントローラ６には、メモリ１３が接続されており、後述する各種計測データ等が記憶されている。メモリ１３は、SDRAM、フラッシュメモリ等である。
【００１４】
図２は、光ディスクの記録面における分割された各記憶領域を説明するための図である。図２は、光ディスク２の記録面の平面図であり、最内周側には記録パワーのキャリブレーション領域であるOPC（Optimum Power Control）領域２１が設けられており、そのOPC領域２１の周囲に複数の記憶領域（以下、ゾーンともいう）に分けられた複数のゾーン２２が設定されている。複数のゾーンは、OPC領域２１の隣の第１のゾーン２２−１から第ｎのゾーン２２−ｎまで、光ディスク２の最外周に向かってｎ個（ｎは整数）のゾーンを含む。図２において、各ゾーン間の境界は、ｉ番目のゾーンと（ｉ＋１）番目のゾーンとして境界２３−ｉで示している（ｉは、１から（ｎ−１）の整数）。例えば、第１のゾーン２２−１と第２のゾーン２２−２との境界は，２３−１である。各ゾーンにデータが記録される。
【００１５】
本実施の形態に係るディスク装置は、データの記録を行うときに、その記録に先立って、まずOPC領域２１に、レーザ発光手段であるLD７の記録パワーを所定の範囲で変更させながら、長さの異なる複数のマークを記録する。そして、記録された、長さの異なる複数のマークのアシンメトリ、すなわち再生した信号の中心レベルのズレ量を、変更された記録パワー毎に計測し、計測して得られた、記録パワー毎のアシンメトリのデータを基準アシンメトリとして、メモリ１３に記憶する。
【００１６】
図３は、OPC領域２１に記録される、長さの異なる複数のマークと再生信号レベルの例を示す図である。図３に示す複数のマークは、最もマーク長が短いマークデータ長３Tと、最もマーク長が長い１４Tの２種類のマークである。Tは、記録クロック周期である。OPC領域２１のあるトラックに、複数のこれらのマークが記録される。なお、図３では、複数のマークは、３Tと１４Tの２種類であるが、マークデータ長は、これらに限定されず、複数のマークは、長さの異なる他のｍT（ｍは３から１４の整数、Tは記録クロック周期）の組み合わせでもよい。
【００１７】
所定の記録パワーで３Tと１４Tのマークを記録し、３Tのマークと１４Tのマークの再生信号を得ると、それぞれの信号の中心レベルが一致しないことがある。再生信号の中心レベルが一致しないと、データの再生不良あるいは再生不能となってしまう。
【００１８】
図３において、１４Tのマークの信号の中心レベルL1よりも、３Tのマークの信号の中心レベルL2は低い。例えば、記録パワーが大きいと、中心レベルは下がり、記録パワーが小さいと中心レベルは上昇する。本実施の形態の光ディスク装置１では、２つの中心レベルが一致するようにLD７の記録パワーの制御を行うことによって、各種マーク長のマークの記録がされるようにする。
【００１９】
そのために、光ディスク装置１は、上述したように、OPC領域２１に、LD７の記録パワーを所定の範囲で変更させながら、長さの異なる複数のマークを記録し、その記録された、長さの異なる複数のマークのアシンメトリを、変更された記録パワー毎に計測し、計測して得られた、記録パワー毎のアシンメトリのデータを基準アシンメトリとして、メモリ１３記憶する。
【００２０】
図４は、そのメモリに記録される基準アシンメトリを説明するための、記録パワーとアインメトリの関係を示す図である。
【００２１】
縦軸は、アシンメトリの大きさ、あるいは基準となるある信号レベルに対するアシンメトリの量の割合（％）であり、横軸は、記録パワーの大きさを示す。記録パワーを、P1からP14まで段階的に変更して記録された、長さの異なる複数のマークを再生し、その再生信号の中心レベルを算出し、各記録パワー毎に複数のマークの中心レベルの差であるアシンメトリを算出して、記録パワーに対応してその算出されたアシンメトリのデータを基準アシンメトリデータとして、メモリ１３に記憶される。なお、ここでは、１４段階に記録パワーを変更して、それぞれの段階におけるアシンメトリが算出されているが、段階の数は、もっと多くでもいいし、もっと少なくてもよい。なお、コントローラ６は、通常、PD１２によって検出されたRF信号に基づいて、最もマーク長が短いマークデータ長３Tと、最もマーク長が長い１４Tの２種類のマークの中心レベルをそれぞれ出力する機能を有しているので、その機能を用いて、各中心レベルの値を得ることができる。
【００２２】
図４に示すように、記録パワーのアシンメトリは、アシンメトリが０である記録パワーよりも記録パワーが高くなるにつれて、３Tの信号レベルが１４Tの信号レベルよりも低くなっていくので、マイナス側において大きくなっていく。逆に、記録パワーのアシンメトリは、アシンメトリが０である記録パワーよりも記録パワーが低くなるにつれて、３Tの信号レベルが１４Tの信号レベルよりも高くなっていくので、プラス側において大きくなっていく。このような、変更された記録パワー毎に計測して得られた、記録パワー毎のアシンメトリのデータが、基準アシンメトリとして、メモリ１３に記憶される。
【００２３】
アシンメトリの単位は、例えば、図３における最もマーク長の長いマークにおける無信号時の信号レベル（以下、無信号レベルという）L3を１００％とした場合に、最もマーク長の長いマーク１４Tの信号の中心レベルと、最もマーク長の短いマーク３Tの信号の中心レベルとの差の信号レベルの、無信号レベルに対する割合（％）で表現される。従って、図４は、記録パワーに対するアシンメトリの変化の割合を示す。
【００２４】
次に、光ディスク装置１の記録処理を説明する。図５は、光ディスク装置１における記録処理の流れの例を示すフローチャートである。この処理は、コントローラ６において実行される。図５の処理は、コントローラ６に含まれる中央処理装置（以下、CPUという）によってソフトウエアによって実行される。
【００２５】
図５の処理は、光ディスク装置１に対してデータの記録が指示されたとき、例えば、ユーザが記録コマンドを指示したときに、実行される。  
まず、光ディスク２の記録パワーのキャリブレーション領域であるOPC領域２１に、LD７の記録パワーを、所定の範囲で変更させながら、ここでは１４段階で変更させながら、３Tと１４Tの複数のマークを記録する（ステップ（以下、Sと略す）1）。S1の処理が、所定マーク記録手段を構成する。
【００２６】
そして、OPC領域２１に記録された複数のマークを再生し、記録された３Tと１４Tの複数のマークのアシンメトリの量、ここでは割合（％）を、記録パワー毎に計測する（S2）。S2の処理が、アシンメトリ計測手段を構成する。なお、上述したように、コントローラ６が、３Tと１４Tの中心レベルを検出する機能を有しているときは、その機能を利用して得られたレベル信号を、中心レベルの信号とする。
【００２７】
次に、計測して得られた、記録パワー毎のアシンメトリのデータを基準アシンメトリデータとして記憶する（S3）。すなわち、図４に示すような記録パワーとアシンメトリのデータが、メモリ１３に記憶される。S3の処理が、アシンメトリ記憶手段を構成する。
【００２８】
次に、変数ｉを１にセットし（S4）、まず、S3でメモリ１３に記憶されたアシンメトリのデータの中からアシンメトリが最も小さくなるときの記録パワーを決定する（S5）。アシンメトリが最も小さくなるときの記録パワー、例えばアシンメトリが０のときの記録パワーが、例えば、図３に示すように、P7のときであったとすれば、そのP7の記録パワーが、LD７の記録パワーとして選択され決定される。
【００２９】
そして、S5において決定された記録パワーで、記録コマンドによって指示された記録データを、第１のゾーンであるゾーン１（ｉ＝１）に記録するための記録処理を実行する（S6）。コントローラ６によるS4からS6の処理が、第１の記録パワー制御手段を構成する。
【００３０】
そして、記録コマンドによって指示された記録データの記録が終了したか否かが判断される（S7）。記録コマンドによって指示された記録データの記録が全て終了した場合は、S7でYESとなって、処理は終了する。
【００３１】
記録コマンドによって指示された記録データの記録が終了していないときは、ゾーン１の記録した記録データのうち、ゾーン１の記録領域の終端部に記録された記録データを再生し、ゾーン１において記録された記録データのアシンメトリを計測する（S8）。ゾーン１の終端部は、ゾーン１において、ゾーン２との境界２３−１の近傍部である。
【００３２】
次に、S8において計測されたゾーン１のアシンメトリの計測結果と、S3において記憶されたアシンメトリとに基づいて記録パワーを補正する（S9）。
【００３３】
次に、ｉ＝ｉ＋１として（S10）、次にマークを記録するゾーンを、ゾーン２とし、処理はS6に戻る。コントローラ６によるS9からS6の処理が、第１の記録パワー制御手段を構成する。
【００３４】
ゾーン２以降における記録処理では、一つ前のゾーンにおいて決定された記録パワーに対して、S9において補正がされた補正後の記録パワーが用いられる。すなわち、光ディスクの自重によるたわみによってレーザ光が記録面に対して垂直に当たらないことによる記録パワー不足、マークを記録するためのレーザダイオードの温度特性によるパワー変動又は波長変動等によって、マークが適切な形状で形成されなくなるので、S3で記憶したアシンメトリのデータに基づいてアシンメトリが０になるように、次に記録を行うゾーンにおける記録パワーを補正する。
【００３５】
具体的な補正の方法は、例えば、図４に記録されたアシンメトリと記録パワーとの関係から、単位アシンメトリ当たりの記録パワーの変化量を算出し、S8で計測されたアシンメトリを０にするための記録パワーの補正量を決定するような方法である。例えば、アシンメトリが＋１０％であった場合には、その＋１０％をキャンセルするのに必要な記録パワーの増分を、補正量として算出し、記録パワーは、その算出された補正量を用いて補正される。従って、補正量は、S8で計測されたアシンメトリと、図４に示すアシンメトリと記録パワーの関係とに基づいて、加減算あるいは乗除算によって決定される。その結果、次のゾーン２においては、最もマーク長の長いマーク１４Tの信号の中心レベルと、最もマーク長の短いマーク３Tの信号の中心レベルとの差の０となるようになる。
【００３６】
ゾーン２の記録処理が終了すると、S8においてゾーン２の記録領域の終端部に記録されたマークのアシンメトリが計測されて、その計測されたアシンメトリに基づいて記録パワーを補正して、ゾーン３の記録処理が実行される。ゾーン２の終端部は、ゾーン２において、ゾーン３との境界２３−２の近傍部である。同様に、ゾーン４以降についても記録処理が実行される。
【００３７】
すなわち、第２のゾーン以降の第ｉのゾーンにおけるマークの記録を行うための記録パワーは、第（ｉ−１）のゾーンにおいて記録されたマークのアシンメトリと、基準アシンメトリとに基づいて、第ｉのゾーンに記録されるマークのアシンメトリが最も小さくなるように、制御される。
【００３８】
以上説明したように、本実施の形態によれば、記録コマンドが発行されると、まず、OPC領域２１に、記録パワーを所定の範囲で変更させながら、長さの異なる複数のマークを記録し、その結果得られた基準となるアシンメトリのデータに基づいて、アシンメトリが０のときの記録パワーで、一つのゾーンへの記録処理が行われる。その後は、その記録処理を行ったゾーンの終端部におけるアシンメトリと、基準となるアシンメトリのデータに基づいて、その次のゾーンの記録処理のための記録パワーを補正する。その後は、順次、各ゾーンの記録処理のための記録パワーを、一つ前のゾーンの終端部におけるアシンメトリを計測して、同様に記録パワーを補正していく。
【００３９】
従って、光ディスクの自重によるたわみによってレーザ光が記録面に対して垂直に当たらないことによる記録パワー不足、マークを記録するためのレーザダイオードの温度特性によるパワー変動又は波長変動、光ディスクの記録面の感度ばらつき、等の原因によって、光ディスク装置において、記録されるマークの長さ等が適切に形成されないということはなくなる。
【００４０】
なお、以上の例では、第１のゾーンからデータを記録する場合で説明したが、既にデータが一部記録されている光ディスクに対して追加的に記録処理を行うときは、記録可能なゾーンから記録処理が行われるようにすることができる。例えば、第１のゾーンは既にデータが記録されているときは、第２のゾーンを最初のゾーン、すなわち図５の処理であれば、S4において、ｉ＝２として記録処理が行われる。
【００４１】
以上の説明は、DVD-Rで説明したが、本実施の形態は、DVD+R、CD-Rでも適用可能である。
【図面の簡単な説明】
【００４２】
【図１】本発明の実施の形態に係る光ディスク装置の構成を示す構成図である。
【図２】光ディスクの記録面における分割された各記憶領域を説明するための図である。
【図３】OPC領域に記録される、長さの異なる複数のマークと再生信号レベルの例を示す図である。
【図４】メモリに記録される基準アシンメトリを説明するための、記録パワーとアインメトリの関係を示す図である。
【図５】光ディスク装置における記録処理の流れの例を示すフローチャートである。
【符号の説明】
【００４３】
１  光ディスク装置、２  光ディスク、３  ディスク駆動部、４  光ピックアップ、７  レーザダイオード、８  コリメートレンズ、９  プリズム、１０，１１  集光レンズ、１２  受光素子
代理人    弁理士    伊  藤    進
【図１】
2005190519.tif 000003
【図２】
2005190519.tif 000004
【図３】
2005190519.tif 000005
【図４】
2005190519.tif 000006
【図５】
2005190519.tif 000007